(57)【要約】      （修正有）【課題】スロットイン形光ディスク装置において、異なるサイズの複数種類の記録媒体を、最小の機構要素部材により所定の位置にローディング、イジェクト可能なディスクローディング機構。【解決手段】スロットイン型の光ディスク装置１において、ディスク挿入位置Ａから見て、ターンテーブル１５１３を中心として左右に設けられたディスクガイド２３，２５を、８ｃｍの光ディスクの外周が接しない状態を初期状態とし、１２ｃｍの光ディスクについては、その外周が接触して両ディスクガイドの間隔を広げるよう構成し、ディスクガイドの間隔が光ディスクにより押し広げられる場合は、押圧力によりターンテーブルの奥側に設けられた旋回要素１９の旋回半径とローディングモータをオン／オフする検出スイッチ４１の動作タイミングとで、１つの検出スイッチのみにより、光ディスクの直径を検出し、光ディスクの直径に合わせたローディング距離を設定する。【選択図】図１
2008165890.tif 000002
【特許請求の範囲】
【請求項１】
光ディスクを、その記録面を所定の速度で回転可能に支持するターンテーブルと、
前記ターンテーブルに案内される光ディスクの進路を妨げることなく、かつ前記ターンテーブルに向けて光ディスクを案内可能に規定された所定の位置を回動支点として回動可能に形成され、前記ターンテーブルに案内すべき光ディスクの外周の少なくとも１点に接触可能な案内部を有し、前記ターンテーブルに案内すべき光ディスクを、前記ターンテーブルに向けて案内する案内部材と、
第１の位置において、第１の直径の光ディスクを前記ターンテーブルに向けて案内するとともに、第１の位置と間隔が異なる第２の位置において、第１の直径よりも大きな第２の直径の光ディスクを前記ターンテーブルに向けて案内するガイド部材と、
前記ガイド部材が前記第１の位置と前記第２の位置との間を移動される移動動作に基づいて、前記回動支点からの距離が異なる第１の起動位置と第２の起動位置に移動可能な検出スイッチと、
前記ターンテーブルに案内される光ディスクが挿入される方向よりも前記ターンテーブルの後方の所定の位置を回動支点として回動可能に形成され、前記ターンテーブルに案内すべき光ディスクを前記ターンテーブルに向けて搬送するとともに、前記検出スイッチの前記第１の起動位置及び前記第２の起動位置のそれぞれにおいて前記検出スイッチを動作させる制御部を有するアーム部材と、
を有することを特徴とする光ディスク装置。
【請求項２】
前記ガイド部材は、前記第２の位置において、前記検出スイッチを前記第１の位置とは異なる前記第２に起動位置へ変位させることを特徴とする請求項１記載の光ディスク装置。
【請求項３】
前記ガイド部材は、前記第１の位置において、前記検出スイッチを前記第１の起動位置に維持することを特徴とする請求項１記載の光ディスク装置。
【請求項４】
前記ガイド部材は、前記第１の位置において前記検出スイッチを前記第１の起動位置に維持し、前記第２の位置において、光ディスクが移動される方向と直交する方向に、前記検出スイッチをスライドさせて、第２の起動位置へ導くことを特徴とする請求項１記載の光ディスク装置。
【請求項５】
前記アーム部材の前記制御部は、回動支点からの距離が異なる２つの領域を有し、それぞれの領域が前記検出スイッチの前記第１の起動位置及び前記第２の起動位置に対応することを特徴とする請求項１記載の光ディスク装置。
【請求項６】
前記ガイド部材は、前記第１の位置で第１の直径の光ディスクを前記アーム部材に案内するとともに、第２の直径の光ディスクが挿入された際には、前記第１の位置よりも間隔が広い前記第２の位置に変位することを特徴とする請求項１記載の光ディスク装置。
【請求項７】
前記回動支点は、挿入される光ディスクの最大外周よりも前記ターンテーブルからの距離が離れた位置に規定されることを特徴とする請求項１記載の光ディスク装置。
【請求項８】
前記ガイド部材は、前記第２の位置において、前記検出スイッチを前記第１の位置とは異なる前記第２に起動位置へ変位させることを特徴とする請求項６記載の光ディスク装置。
【請求項９】
前記ガイド部材は、前記第１の位置において、前記検出スイッチを前記第１の起動位置に維持することを特徴とする請求項６記載の光ディスク装置。
【請求項１０】
前記ガイド部材は、前記第１の位置において前記検出スイッチを前記第１の起動位置に維持し、前記第２の位置において、光ディスクが移動される方向と直交する方向に、前記検出スイッチをスライドさせて、第２の起動位置へ導くことを特徴とする請求項６記載の光ディスク装置。
【請求項１１】
前記アーム部材の前記制御部は、回動支点からの距離が異なる２つの領域を有し、それぞれの領域が前記検出スイッチの前記第１の起動位置及び前記第２の起動位置に対応することを特徴とする請求項６記載の光ディスク装置。
【請求項１２】
スロットイン型の光ディスク装置であって、
光ディスクが挿入される方向に旋回可能に形成され、光ディスクの直径の違いに基づいて予め規定されている角度に旋回した状態で光ディスクの直径の違いに応じて規定される所定の位置に設けられたスイッチ制御部を有するローディングアームと、
このローディングアームの旋回により搬送される光ディスクを保持して、光ディスクを回転させるターンテーブルと、
第１の位置において、第１の直径の光ディスクを前記ターンテーブルに向けて案内するとともに、第１の位置と間隔が異なる第２の位置において、第１の直径よりも大きな第２の直径の光ディスクを前記ターンテーブルに向けて案内するガイド部材と、
前記ガイド部材が前記第１の位置と前記第２の位置との間を移動される移動動作に基づいて、前記回動支点からの距離が異なる第１の起動位置と第２の起動位置に移動可能な検出スイッチと、
を有し、
前記ガイド部材により挿入される光ディスクの直径に合わせて前記検出スイッチを前記第１の起動位置または前記第２の起動位置に位置させ、前記ローディングアームの前記スイッチ制御部により前記検出スイッチを、光ディスクの直径に依存した異なる位置で選択的に動作させることを特徴とする光ディスク装置。
【請求項１３】
前記検出スイッチは、光ディスクをローディング／イジェクティングするための動力発生機構を動作させることを特徴とする請求項１２記載の光ディスク装置。
【発明の詳細な説明】
【技術分野】
【０００１】
この発明は、円盤状の記録媒体、例えば光ディスクに記録されている情報を読み出し、あるいは同ディスクに情報を記録する光ディスク装置に関する。
【背景技術】
【０００２】
記録されている情報をレーザ光により再生し、あるいはレーザ光により情報が記録可能な光ディスク装置が実用化されて久しい。
【０００３】
光ディスク装置は、光ディスクの情報記録面に沿ってその半径方向に移動され、光ディスクに記録されている情報を読み出し、あるいは光ディスクに情報を記録するピックアップ（光学ヘッド）装置と、光ディスクをドライブ装置内部の所定の位置に引き込み、また確実に排出するためのディスクローディング機構と、光ディスクを回転させるディスクモータと、情報の記録及び再生に関する一連の動作を司る制御回路部等を含む。
【０００４】
ところで、今日では、ビデオカメラ等に用いる記録媒体として、小サイズ（８ｃｍ）の光ディスクが利用されている。
【０００５】
このため、光ディスク装置においては、従来からの１２ｃｍの光ディスクと８ｃｍの光ディスクの双方から情報を読み出し、もしくは情報が記録できることが求められている。
【０００６】
なお、特許文献１には、独立した２つの回転支持点により支持された２つのセレクトアームと一対（２個）の位置決めピンを有し、径の大きな光ディスクが挿入された場合は、セレクトアームが光ディスクの外周で押しだされることを利用して位置決めピンの位置を変更するディスク装置が、示されている。
【０００７】
また、特許文献２には、単一のスイッチによりディスクの挿入を検出するが、個々の径の光ディスクのチャッキング位置やローディングＥＮＤ等の各ポジションの検出に、独立したスイッチを用いるディスクドライブ装置が、示されている。
【０００８】
また、特許文献３には、直線方向に往復移動する単一のスライダーに設けられた一対のガイドレバーの開き角により、装脱口から挿入された光ディスクを、その径に拘わりなくターンテーブルの中心に案内するディスク装置が、が示されている。
【特許文献１】特許第３７６１３１４号
【特許文献２】特開２００６−１８９９４
【特許文献３】特開２００６−１５５７０６
【発明の開示】
【発明が解決しようとする課題】
【０００９】
上述した各特許文献に記載された光ディスクドライブ装置は、いずれも８ｃｍディスクと１２ｃｍディスクの双方に対応しているが、いずれの光ディスクドライブ装置もターンテーブルの中心と各ディスクの中心の位置決めのために、２以上のアーム部材を用いている。従って、ディスクを搬送するための機構や位置決めのための機構が複雑となるばかりか、光ディスクドライブ装置のコストも増大することが予想される。
【００１０】
また、光ディスクドライブ装置が、例えばパーソナルコンピュータ等の携帯可能な機器に組み込まれる場合に、装置全体の重量を増大させることにもつながる。
【００１１】
この発明の目的は、スロットイン型の光ディスク装置において、異なる直径の複数種類の円盤状の記録媒体を、記録媒体の外径に基づいて規定される所定のローディング位置にローディング可能で、しかも記録媒体の排出（イジェクティング）においても記録媒体を不所望に脱落させることなく、確実にローディング／イジェクティング制御が可能な光ディスク装置を提供するものである。
【課題を解決するための手段】
【００１２】
この発明は、上記問題点に基づきなされたもので、光ディスクを、その記録面を所定の速度で回転可能に支持するターンテーブルと、前記ターンテーブルに案内される光ディスクの進路を妨げることなく、かつ前記ターンテーブルに向けて光ディスクを案内可能に規定された所定の位置を回動支点として回動可能に形成され、前記ターンテーブルに案内すべき光ディスクの外周の少なくとも１点に接触可能な案内部を有し、前記ターンテーブルに案内すべき光ディスクを、前記ターンテーブルに向けて案内する案内部材と、第１の位置において、第１の直径の光ディスクを前記ターンテーブルに向けて案内するとともに、第１の位置と間隔が異なる第２の位置において、第１の直径よりも大きな第２の直径の光ディスクを前記ターンテーブルに向けて案内するガイド部材と、前記ガイド部材が前記第１の位置と前記第２の位置との間を移動される移動動作に基づいて、前記回動支点からの距離が異なる第１の起動位置と第２の起動位置に移動可能な検出スイッチと、前記ターンテーブルに案内される光ディスクが挿入される方向よりも前記ターンテーブルの後方の所定の位置を回動支点として回動可能に形成され、前記ターンテーブルに案内すべき光ディスクを前記ターンテーブルに向けて搬送するとともに、前記検出スイッチの前記第１の起動位置及び前記第２の起動位置のそれぞれにおいて前記検出スイッチを動作させる制御部を有するアーム部材と、を有することを特徴とする光ディスク装置、を提供するものである。
【発明の効果】
【００１３】
この発明の実施の形態によれば、１つの検出スイッチによって各々光ディスクに最適なタイミングで電動ローディング開始検出及びローディング終了検出を行うことができ、また部品構成が簡単なことから部品点数の削減と動作シーケンスの簡略化及び動作信頼性の向上を図ることができる。
【発明を実施するための最良の形態】
【００１４】
以下、図面を参照して、この発明の実施の形態の一例を説明する。
【００１５】
図１ないし図４は、この発明の実施の一形態が適用可能な光ディスク装置の一例を示す。なお、図１に示す光ディスク装置は、情報の記録時及び再生時に光ディスクが装置内部に収容されるスロットイン型と呼ばれる光ディスク装置であって、例えば携帯可能なパーソナルコンピュータ（ノートＰＣ）等に組み込まれて利用される。また、図１では、一部のカバー類を取り外した状態を示している。また、図２は、直径が１２ｃｍの光ディスクが挿入される状態を説明するために図１に示した状態から要素の一部を取り外した状態を、図３は、直径が８ｃｍの光ディスクが挿入される状態を説明するために図１に示した状態から要素の一部を取り外した状態を、図４は、サイズの異なる光ディスクの直径を検出するための構成を抜き出した状態を、それぞれ、示している。
【００１６】
図１乃至図４に示す光ディスク装置１は、ボトムカバーすなわちシャーシ１１と、シャーシ１１の概ね中央に位置されたディスクモータ１３とを有する。ディスクモータ１３の中心軸（符号なし）には、光ディスクを積置して固定するターンテーブル１５が設けられている。
【００１７】
ターンテーブル１５（ディスクモータ１３）の近傍には、シャーシ１１の所定の位置に定義された支点１７を回動中心として旋回（回動）するローディングアーム１９が設けられている。
【００１８】
ローディングアーム１９の支点１７から離れた所定の位置には、矢印Ａで示すディスク挿入方向からターンテーブル１５に向けて挿入される光ディスクの円周の一部と接触可能に形成された第１の位置決め突起１９ａと、第１の位置決め突起１９ａと支点１７との間の所定の位置に形成された第２の位置決め突起１９ｂが設けられている。なお、第１の位置決め突起１９ａは、ディスク挿入方向（矢印）Ａから挿入される光ディスクの直径に拘わらず、（挿入される）光ディスクの記録面がターンテーブル１５に接するよりも前に光ディスクの外周に接するように、位置及び形状が規定されている。また、第２の位置決め突起１９ｂは、ディスク挿入方向Ａ（矢印Ａ方向）から挿入される光ディスクの直径に拘わらず、光ディスクの中心に設けられている開孔（中心穴）とターンテーブル１５の中心が概ね一致する位置で、光ディスクの外周と接触するよう、位置及び形状が規定されている。
【００１９】
ローディングアーム１９はまた、支点１７を回動中心とする所定の半径の位置に、後段に説明するが、挿入された光ディスクが１２ｃｍであるか８ｃｍであるかを識別して、光ディスク装置１内への光ディスクのローディング量を設定し、さらにローディングＥＮＤを設定するための信号を出力する検出スイッチを切り換えるための、検出溝１９ｃが用意されている。なお、ローディングアーム１９は、挿入された光ディスクの中心穴がターンテーブル１５と実質的に一致する位置まで引き込み動作（旋回）したのち、光ディスクと接触することのない退避位置（ボトムカバー１１の挿入方向と反対の最も奥）まで、詳述しないローディングモータ及び駆動力伝達機構により移動される（退避する）。
【００２０】
シャーシ１１の広がり方向（面方向）の外周側の所定の位置には、ローディングアーム１９と協働して、挿入方向Ａから挿入される光ディスクを支持してローディングアーム１９に向けて案内する第１のディスクガイド２３（挿入方向Ａから見て、ターンテーブル１５の右側に位置される）及び第２のディスクガイド２５（挿入方向Ａから見て、ターンテーブル１５の左側に位置される）が設けられている。すなわち、第１及び第２のディスクガイド２３，２５は、ターンテーブル１５を平面方向（ターンテーブル１５を支持するディスクモータ１３の中心軸と平行な方向）から見た状態で、ターンテーブル１５がそれぞれのガイド２３，２５の内側に位置されるよう、ターンテーブル１５を挟んで両側に位置されている。
【００２１】
第１のディスクガイド２３の近傍には、ローディングアーム１９の第１の位置決め突起１９ａと協働して、挿入方向Ａから挿入される光ディスクを保持するディスクホールディングピン２７ａを有するディスクホールドレバー２７が、設けられている。なお、ディスクホールドレバー２７は、レバー２７の所定の位置に形成されている支点２７ｂを回動中心として、ターンテーブル１５に向かう方向に、旋回可能である。また、ディスクホールドレバー２７とローディングアーム１９は、それぞれ、ばね部材２９により互いに引き寄せられている（ディスクホールドレバー２７とローディングアーム１９は、ばね部材２９により、常時、ターンテーブル１５側へ引き寄せられる向きの力で、互いに引き寄せられている）。
【００２２】
第１及び第２のディスクガイド２３，２５は、それぞれ、支点２３ａ及び２５ａにより分割されるメインディスクガイド２３ｂ及び２５ｂと、サブディスクガイド２３ｃ及び２５ｃと、両者に所定の張力（引張り）を与えるばね部材２３ｄ及び２５ｄを含む。
【００２３】
第１及び第２のディスクガイド２３，２５は、ディスクモータ１３とボトムカバー１１のディスク挿入方向Ａと反対側の端部との間の所定の位置で、挿入されたディスクが移動する方向と概ね直交する方向に往復動可能に配列された第１の選択スライダ３３（第１のディスクガイド２３に対応）及び第２の選択スライダ３５（第２のディスクガイド２５に対応）に、スライド動作を与える。なお、それぞれの係合ピン２３ｅ，２５ｅは、サブディスクガイド２３ｃ，２５ｃの支点２３ａ，２５ａとは逆側の端部に設けられている。また、それぞれの係合ピン２３ｅ，２５ｅは、ボトムカバー１１の対応する位置に設けられたボトムガイド溝１１Ｌと１１Ｒのそれぞれとも、係合している。
【００２４】
これにより、第１及び第２のディスクガイド２３，２５が、それぞれの支点２３ａ，２５ａを支点としてばね部材２３ｄ，２５ｄによりディスクモータ１３側へ向かう力を受ける際の最もディスクモータ１３側に位置する際の位置が規定される。すなわち、それぞれのディスクガイド２３，２５の支点２３ａ，２５ａがばね部材２３ｄ，２５ｄによりドライブ装置１の内側（中心寄り）へ突出する方向で付勢された際の突出量は、ボトムガイド溝１１Ｌ，１１Ｒの端部により予め規制された（突出量）となる。
【００２５】
なお、ボトムガイド溝１１Ｌ，１１Ｒの端部の位置は、各ディスクガイド２３，２５の支点２３ａ，２５ａ間の距離が８ｃｍ径の光ディスクの外径よりも僅かに大きな「８ｃｍ＋αｃｍ」となるよう、予め設定されている。
【００２６】
また、スライダガイド溝３３ａ，３５ａは、それぞれ、第１及び第２のディスクガイド２３，２５の支点２３ａ，２５ａを最もボトムカバー１１の外縁寄りに移動させるため、ディスク挿入方向（矢印Ａ）側を基準として外縁に向かって概ね４５度程度の角度が与えられたディスクガイド解放位置３３−１，３５−１を有し、第１及び第２のディスクガイド２３，２５を、光ディスクが所定の位置まで挿入された時点でボトムガイド溝１１Ｌ，１１Ｒと概ね平行となるよう、案内する。
【００２７】
第１の選択スライダ３３及び第２の選択スライダ３５はまた、第１及び第２のディスクガイド２３，２５に、ボトムカバー１１のディスク挿入方向Ａと反対側の端部とディスクモータ１３との間の所定の位置に設けられたコネクトホルダ３７の回転中心３７ａに係合された同期レバー３９に対して、回転中心３７ａを回転中心とする所定の角度（範囲）の旋回を与える。すなわち、コネクトホルダ３７は、同期レバー３９を、同期レバー３９の概ね中央に設けられた同期レバーピン（軸）３９ａを回転中心として上記第１及び第２の選択スライダ３３，３５を、所定量だけスライド可能とするための推力を提供する。
【００２８】
詳細には、コネクトホルダ３７は、回転中心３７ａと、回転中心３７ａと同心円状に規定された同期レバーガイド穴３７ｂ，３７ｃと、回転中心３７ａから概ね等しい位置に規定されたスライド係合突起３７ｄ，３７ｅを有し、同期レバーピン３９ａを中心として同期レバー３９が所定の角度だけ旋回することを可能としている。
【００２９】
同期レバー３９には、同期レバーピン３９ａから概ね等距離の位置に、第１及び第２の同期係合突起３９ｂ（同期レバーガイド穴３７ｂ対応），３９ｃ（同期レバーガイド穴３７ｃ対応）が設けられ、それぞれ、第１の選択スライダ３３のスライド溝３３ｂ，３３ｃの概ね中間の位置に規定された同期溝３３ｄ（同期レバーガイド穴３７ｂ，同期係合突起３９ｂ対応）及び第２の選択スライダ３５のスライド溝３５ｂ，３５ｃの概ね中間の位置に規定された同期溝３５ｄ（同期レバーガイド穴３７ｃ，同期係合突起３９ｃ対応）と係合されている。
【００３０】
従って、挿入されたディスクが移動する方向と概ね直交する方向に往復動する選択スライダ３３，３５の直線運動は、同期レバーピン３９ａを回転中心とする同期レバー３９の回転運動に変換される。なお、同期レバー３９の同期レバーピン３９ａを回転中心とする旋回は、挿入方向Ａから挿入される光ディスクの径に基づいて、第１及び第２のディスクガイド２３，２５の支点２３ａ，２５ａがディスクモータ１３に近接した初期位置からサブディスクガイド２３ｃ，２５ｃとメインディスクガイド２３ｂ，２５ｂが概ね直線状となる１２ｃｍディスク検出位置へ移動することで提供される。
【００３１】
第１及び第２の選択スライダ３３，３５のいずれか一方の所定の位置であって、ターンテーブル１５（ディスクモータ１３）の近傍に位置する位置には、挿入された光ディスクが１２ｃｍであるか８ｃｍであるかを識別し、ローディング量及びローディングＥＮＤを設定するための信号を出力する検出スイッチ４１が設けられている。なお、検出スイッチ４１は、図１により説明したローディングアーム１９に用意された検出溝１９ｃが、挿入される光ディスクの径に関連して、支点１７を回動中心として所定角度旋回（回動）することにより、以下に説明するように、複数の信号を出力可能である。
【００３２】
検出スイッチ４１は、２接点（両極双等）型であり、図５乃至図１０を用いて後段に説明するが、ローディングアーム１９の旋回（挿入された光ディスクの直径と位置に応じて変化）の程度に従って、いずれか一方の接点がオン（ＯＮ）または両方の接点がオフ（ＯＦＦ）に区分される３つの信号を出力する。なお、検出スイッチ４１は、挿入される光ディスクの直径に応じて間隔が変化される選択スライダ３３，３５の所定の位置に設けられていることから、選択スライダ３３，３５が挿入される光ディスクの直径に応じて変位することにより、光ディスクの直径を検出可能で、しかもその光ディスクの直径に合わせて、電動ローディングのローディング量を最適に設定できる。すなわち、検出スイッチ４１による検出位置を光ディスクの直径の違いに基づいてメカニカルに移動可能な２つの半径の円弧（検出溝１９ｃ）上に規定し、ローディングアーム１９の回転量と検出スイッチ４１が位置される円弧（検出スイッチ４１の位置）とにより、異なる径の光ディスクのそれぞれに対して、進入位置（挿入後のローディング）を適切に検出可能としている。
【００３３】
図２は、図１に示した光ディスク装置に、第１の大きさ、例えば直径が１２ｃｍの光ディスクが挿入される状態を示している。なお、図２は、光ディスク装置に光ディスクが挿入される際に、光ディスクの外周の任意の位置が、ディスクホールディングレバー２７のディスクホールディングピン２７ａおよびローディングアーム１９の第１の位置決め突起１９ａに接した状態を、示している。
【００３４】
図２に示すように、光ディスク（１２ｃｍ）が挿入方向Ａから光ディスク装置１に挿入される（押し込まれる）と、ディスクホールディングレバー２７のディスクホールディングピン２７ａに光ディスクの外周の任意の位置が接することにより、光ディスクは、ローディングアーム１９（ターンテーブル１５）側へ誘導され、ローディングアーム１９の第１の位置決め突起１９ａに接触する。なお、既に説明した通り、ディスクホールディングレバー２７とローディングアーム１９は、互いにターンテーブル１５側に向かうよう、所定の張力が与えられていることにより、光ディスクは、ディスクホールディングレバー２７とローディングアーム１９とにより支えられて、ターンテーブル１５側へ案内される。
【００３５】
この状態でさらに光ディスクが押し込まれると、ローディングアーム１９が支点１７を回動中心としてターンテーブル１５から離れる方向に、回動（旋回）する。
【００３６】
以下、第１及び第２のディスクガイド２３，２５の支点２３ａ及び２５ａが、光ディスクが挿入される（ローディングアーム１９が旋回する）につれて外側に次第に押し広げられ、光ディスクの不所望な動きが規制される。
【００３７】
一方、８ｃｍの光ディスクが挿入方向Ａから光ディスク装置１に挿入される（押し込まれる）場合には、図３に示すように、ディスクホールディングレバー２７のディスクホールディングピン２７ａに光ディスクの外周の任意の位置が接することにより、光ディスクは、ローディングアーム１９（ターンテーブル１５）側へ誘導され、ローディングアーム１９の第１の位置決め突起１９ａに接触する。なお、既に説明した通り、ディスクホールディングレバー２７とローディングアーム１９は、互いにターンテーブル１５側に向かうよう、所定の張力が与えられていることにより、光ディスクは、ディスクホールディングレバー２７とローディングアーム１９とにより挟持されて、ターンテーブル１５側へ案内される。
【００３８】
この状態でさらに光ディスクが押し込まれると、ローディングアーム１９が支点１７を回動中心としてターンテーブル１５から離れる方向に、回動（旋回）する。
【００３９】
このとき、第１及び第２のディスクガイド２３，２５及びその支点２３ａ及び２５ａは、光ディスクの不所望な動きを規制するものの、１２ｃｍの光ディスクが挿入される場合に比較して、実質的な回動（旋回）動作を伴わない初期位置で、光ディスクを光ディスク装置１の概ね中央に位置させることができる。
【００４０】
なお、図１乃至図３により説明したように、１２ｃｍの光ディスクあるいは８ｃｍの光ディスクが光ディスク装置１内の所定の位置まで挿入されると、詳述しないが、ローディングモータが順方向（引き込み方向）に回転され、その回転が詳述しない駆動力伝達機構によりローディングアーム１９（及びローディングアーム１９にばね部材２９により引き寄せられているディスクホールディングレバー２７）に伝達されることにより、光ディスクが、ターンテーブル１５とディスクの中心とが一致するクランプ位置に向けて搬送される。
【００４１】
このとき、第１及び第２のディスクガイド２３，２５の動作に合わせて、第１及び第２の選択スライダ３３，３５のスライド動作が生じ、そのスライド動作により、コネクトホルダ３７の回転中心３７ａに係合された同期レバー３９が、同期レバーピン３９ａを回転中心として、同期レバーガイド穴３７ｂ，３７ｃの範囲内で、回転される。
【００４２】
また、第１及び第２の選択スライダ３３，３５のスライド動作により、第１の選択スライダ３３の所定の位置に設けられている検出スイッチ４１の位置が、ローディングアーム１９の検出溝１９ｃの半径の異なる８ｃｍディスク用と１２ｃｍディスク用の２つの円弧のいずれか一方に整合するよう、設定される。
【００４３】
次に、図５乃至図８を用いて、１２ｃｍの光ディスクが光ディスク装置１に挿入される際の動作を説明する。
【００４４】
図５（図１）から明らかなように、光ディスクが挿入されていない状態においては、光ディスク装置１の第１及び第２のディスクガイド２３，２５は、それぞれの支点２３ａ，２５ａ間の距離が、概ね８ｃｍ（８ｃｍ＋αｃｍ）である。なお、ローディングアーム１９の旋回量は最小であるから、ローディングアーム１９の検出溝１９ｃは、検出スイッチ４１を第１の接点（Ａ接点）がオン（ＯＮ）となる状態に位置させる。従って、詳述しないローディングモータは、オフされている。
【００４５】
光ディスクがさらに押し込まれると、図６に示すように第１及び第２のディスクガイド２３，２５の支点２３ａ，２５ａがディスクの外周により圧力を受け（押圧され）ることにより、第１及び第２のディスクガイド２３，２５の支点２３ａ，２５ａは、関節を伸張させるよう、移動される。このとき、第１及び第２の選択スライダ３３，３５のスライドガイド溝３３ａ，３５ａに沿って係合ピン２３ｅ，２５ｅがスライドし、スライドガイド溝３３ａ，３５ａの４５度前後の傾斜により第１及び第２の選択スライダ３３，３５が、挿入された光ディスクが移動する方向と概ね直交する方向のうちのディスクモータ１３側（中央寄り）に、移動される。
【００４６】
これにより、第１の選択スライダ３３に設けられた検出スイッチ４１が、ローディングアーム１９の検出溝１９ｃにおける２つの半径の円弧のうちの１２ｃｍディスク用の円弧の側に移動される。従って、ローディングアーム１９の検出溝１９ｃは、検出スイッチ４１を第１の接点（Ａ接点）がオンとなる状態に維持する。従って、詳述しないローディングモータは、オフされている。
【００４７】
さらに１２ｃｍの光ディスクが押し込まれることでローディングアーム１９が旋回し、図７に示す通り、検出スイッチ４１が検出溝１９ｃの１２ｃｍディスク用の円弧から突出する位置に達すると、検出スイッチ４１は、Ａ接点（第１の接点）と反対側の第２の接点（Ｂ接点）のいずれもオフ（ＯＦＦ）となる中立位置に切り換えられる。これにより、図示しない制御回路が起動され、詳述しないローディングモータがオンされ、ローディングアーム１９が支点１７を回動支点として旋回（回転）される。
【００４８】
詳述しないローディングモータがオンされ、ローディングアーム１９が所定の位置まで旋回され、図８に示す、光ディスクがターンテーブル１５にクランプ可能な位置まで搬送されると、検出溝１９ｃは、検出スイッチ４１を第２の接点（Ｂ接点）がオン（ＯＮ）となるローディングモータ停止位置（ローディングＥＮＤ）に到達する。なお、１２ｃｍの光ディスクにおいては、クランプ位置とローディングＥＮＤとの間の距離は僅かである。また、光ディスクが回転される際には、ローディングアーム１９及びディスクホールディングレバー２７のそれぞれは、図示しないばね圧解除機構により、ターンテーブル１５へ向かう方向の張力が解放され、光ディスクの外周部と接することが抑止されることはいうまでもない。
【００４９】
次に、図９及び図１０を用い、８ｃｍの光ディスクが光ディスク装置１に挿入される際の動作を説明する。
【００５０】
図５に示した待機状態において、８ｃｍの光ディスクが挿入されると、図９に示すように、第１及び第２のディスクガイド２３，２５は、それぞれの支点２３ａ，２５ａ間の距離が、概ね８ｃｍ（８ｃｍ＋αｃｍ）を維持したままである。従って、ローディングアーム１９の検出溝１９ｃは、検出スイッチ４１を第１の接点（Ａ接点）がオン（ＯＮ）となる状態に位置させる。
【００５１】
図９に示すように、さらに８ｃｍの光ディスクが光ディスク装置１内に挿入された場合、第１及び第２のディスクガイド２３，２５は、それぞれの支点２３ａ，２５ａ間の距離を、概ね８ｃｍ（８ｃｍ＋αｃｍ）に、そのまま維持する。仮に、光ディスクが第１及び第２のディスクガイド２３，２５の一方に片寄った位置で挿入された場合には、第１及び第２の選択スライダ３３，３５の作用によって、第１及び第２のディスクガイド２３，２５のいずれかが単独で伸張することは無く、従って１２ｃｍの光ディスクが挿入される際とは異なり、検出スイッチ４１は移動しない。
【００５２】
さらに光ディスクが押し込まれることで、ローディングアーム１９が旋回され、検出溝１９ｃのうちの８ｃｍの光ディスク用の半径の円弧が、検出スイッチ４１をＡ，Ｂ接点ともにオフ（ＯＦＦ）する位置にさしかかると、、図示しない制御回路が起動され、詳述しないローディングモータがオンされ、ローディングアーム１９が支点１７を回動支点として旋回（回転）される。
【００５３】
以下、詳述しないローディングモータがオンされ、ローディングアーム１９が所定の位置まで旋回され、光ディスクがターンテーブル１５にクランプ可能な位置まで搬送されると、詳述しないが、ディスクホールディングレバー２７の回動と関連して規定されている図示しないカムスライダの動作によりターンテーブル１５に光ディスクがチャッキングされる。なお、ローディングアーム１９は、所定のタイミングで、さらに旋回され、検出溝１９ｃが検出スイッチ４１を第２の接点（Ｂ接点）がオン（ＯＮ）となるローディングモータ停止位置（ローディングＥＮＤ）に到達するまで、引き続き旋回される。また、光ディスクが回転される際には、ディスクホールディングレバー２７は、図示しないばね圧解除機構により、ターンテーブル１５へ向かう方向の張力が解放され、光ディスクの外周部と接することが抑止されることはいうまでもない。
【００５４】
このように、１２ｃｍの光ディスクと８ｃｍの光ディスクとの直径の差を利用して電動搬送（ローディング）のトリガを設定することで、直径の異なる２種類の光ディスクを、１つの検出センサのみを用いることで、光ディスク装置１内のターンテーブルの位置に正確にローディングできる。
【００５５】
また、光ディスクが排出される場合には、図示しないが、イジェクトスイッチ等によりイジェクトが指示されることで、ターンテーブル１５と光ディスクとのチャッキングが解放され、詳述しないが、ローディングモータが逆方向（イジェクト方向）に回転する。
【００５６】
これにより、ローディングアーム１９が逆方向に旋回し、さらに、検出溝１９ｃによりローディングモータの回転が制御されることで、１２ｃｍの光ディスクであっても８ｃｍの光ディスクであっても、不所望に光ディスク装置１から脱落することのない、安全なディスク取り出し位置に、容易に（取り出し可能な位置まで）排出可能である。また、ローディングモータも、検出スイッチ４１がＡ接点（第１の接点）に切り換えられた時点で停止するため、消費電力も最小限に抑えることができる。
【００５７】
以上説明したように、この発明の実施の形態の一例によれば、スロットイン型の光ディスク装置において、ディスク挿入方向から見て、ターンテーブル（ディスクモータ）を中心として左右に設けられたディスクガイドを、８ｃｍの光ディスクについては、その外周が接しない状態を初期状態とし、１２ｃｍの光ディスクについては、その外周が接触して両ディスクガイドの間隔を広げるよう構成し、ディスクガイドの間隔が光ディスクにより押し広げられる場合は、その押圧力によりターンテーブルの奥側に設けられたただ１つの旋回要素（ローディングアーム）の旋回半径とローディングモータをオン／オフする検出スイッチの動作タイミングとを関連付けたことにより、ただ１つの２接点スイッチにより、光ディスクの直径を検出し、さらに光ディスクの直径に合わせた好適なローディング距離（モータ動作時間）を設定することができる。これにより、大きさの異なる光ディスクをターンテーブルの中央に（ディスクの中心が）一致するよう、案内できる。
【００５８】
また、光ディスクが排出される場合においても、旋回要素の逆方向の旋回により、１２ｃｍの光ディスクであっても８ｃｍの光ディスクであっても、不所望に光ディスク装置１から脱落することのない、安全なディスク取り出し位置に、容易に（取り出し可能な位置まで）排出可能であるとともに、ローディングモータの動作時間を最適に管理できる。これにより、消費電力も最小限に抑えることができる。
【００５９】
以上説明した通り、この発明の実施の形態によれば、スロットイン型の光ディスク装置に、直径の異なる光ディスクをローディングするためのローディングモータを動作させる際に、光ディスクの外径に応じて異なるローディング時間を、１つの検出スイッチによって、設定可能である。従って、部品点数が削減できる。また、これに伴って装置が軽量化され、さらに信頼性の向上を図ることができる。
【００６０】
また、光ディスクをイジェクト（排出）する際のローディングモータの逆回転の時間も光ディスクの外径に応じて管理されるため、不所望に光ディスク装置から光ディスクが脱落することのない、安全なディスク取り出し位置に、容易に（取り出し可能な位置まで）排出可能である。
【００６１】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００６２】
【図１】この発明の実施の一形態が適用される光ディスク装置の一例を説明する概略図。
【図２】図１に示した光ディスク装置に１２ｃｍの光ディスクが挿入される過程を説明する概略図。
【図３】図１に示した光ディスク装置に８ｃｍの光ディスクが挿入される過程を説明する概略図。
【図４】図１に示した光ディスク装置において、サイズの異なる光ディスクの直径を検出するための構成を抜き出した状態を示す概略図。
【図５】図１乃至図４に示した光ディスク装置に１２ｃｍ（または８ｃｍ）の光ディスクが挿入される状態を説明する概略図。
【図６】図５に示した１２ｃｍの光ディスクの挿入過程に引き続く挿入過程を説明する概略図。
【図７】図６に示した１２ｃｍの光ディスクの挿入過程に引き続く挿入過程を説明する概略図。
【図８】図７に示した１２ｃｍの光ディスクの挿入過程に引き続く挿入過程を説明する概略図。
【図９】図１乃至図４に示した光ディスク装置に８ｃｍの光ディスクが挿入される状態を説明する概略図。
【図１０】図９に示した８ｃｍの光ディスクの挿入過程に引き続く挿入過程を説明する概略図。
【符号の説明】
【００６３】
１…光ディスク装置、１１…ボトムカバー（シャーシ）、１３…ディスクモータ、１５…ターンテーブル、１７…（ローディングアームの）回動支点、１９…ローディングアーム、１９ａ…第１の位置決め突起、１９ｂ…第２の位置決め突起、１９ｃ…検出溝、２１…コネクトレバー、２３…第１のディスクガイド、２３ａ…支点、２３ｅ…係合ピン、２５…第２のディスクガイド、２５ａ…支点、２５ｅ…係合ピン、２７…ディスクホールディングレバー、２７ａ…ディスクホールディングピン、２９…ばね部材、３３…第１の選択スライダ、３３ａ…スライダガイド溝、３３ｂ，３３ｃ…スライド溝、３５…第２の選択スライダ、３５ａ…スライダガイド溝、３５ｂ，３５ｃ…スライド溝、３７…コネクトホルダ、３７ａ…回転中心、３７ｂ，３７ｃ…同期レバーガイド穴、３７ｄ，３７ｅ…スライド係合突起、３９…同期レバー、３９ａ…同期レバーピン（軸）、３９ｂ，３９ｃ…同期係合突起、４１…検出スイッチ。
【図１】
2008165890.tif 000003
【図２】
2008165890.tif 000004
【図３】
2008165890.tif 000005
【図４】
2008165890.tif 000006
【図５】
2008165890.tif 000007
【図６】
2008165890.tif 000008
【図７】
2008165890.tif 000009
【図８】
2008165890.tif 000010
【図９】
2008165890.tif 000011
【図１０】
2008165890.tif 000012